(57)【特許請求の範囲】
【請求項１】
直交する第１区分ライン及び第２区分ラインであって１つの前記第１区分ラインと１つの前記第２区分ラインとによって帳票領域を複数の帳票部に区分し、前記第１区分ラインを折り返し、さらに前記第２区分ラインを折り返して、各前記帳票部が重なるように折りたたまれることにより形成され、
各前記帳票部は、前記第１区分ラインを折り返したときに重なり合う面の前記第２区分ライン近傍、前記第１区分ラインを折り返したときに重なり合う面のその第１区分ライン及び前記第２区分ライン以外の２辺の外縁部、及び前記第２区分ラインを折り返したときに重なり合う面の前記第２区分ライン以外の３辺の外縁部が接着されることにより封止されること
を特徴とするメールフォームの製造方法。
【請求項２】
直交する第１区分ライン及び第２区分ラインであって２以上の前記第１区分ラインと１つの前記第２区分ラインとによって帳票領域を複数の帳票部に区分し、前記２以上の第１区分ラインのうち、一の第１区分ラインを挟んで隣り合う２つの前記帳票部の表面側同士が重なり、前記一の第１区分ラインと隣接する第１区分ラインを挟んで隣り合う２つの前記帳票部の裏面側同士が重なるように、交互に、前記２以上の第１区分ラインの全てを折り返し、さらに前記第２区分ラインを折り返して、各前記帳票部が重なるように折りたたまれることにより形成され、
各前記帳票部は、前記第１区分ラインを折り返したときに重なり合う面の前記第２区分ライン近傍、前記第１区分ラインを折り返したときに重なり合う面のその第１区分ライン及び前記第２区分ライン以外の２辺の外縁部、及び前記第２区分ラインを折り返したときに重なり合う面の前記第２区分ライン以外の３辺の外縁部が接着されることにより封止されること
を特徴とするメールフォームの製造方法。
【請求項３】
請求項１又は請求項２に記載のメールフォームの製造方法において、
封止された前記帳票部の前記第２区分ライン以外の３辺の外縁部を分離することにより、前記第２区分ラインを背とする冊子状体が形成されること
を特徴とするメールフォームの製造方法。
【請求項４】
帳票領域を２等分する第１区分ラインと、
前記第１区分ラインと直交し、前記帳票領域をさらに２等分する第２区分ラインと、
前記帳票の第１の面側において、前記第２区分ライン近傍に設けられた第１接着剤部と、
前記帳票の前記第１の面側において、前記帳票の外縁部を囲むように設けられた第２接着剤部と、
前記帳票の第２の面側において、前記第１区分ラインで区分された領域のうちの一方の領域の外縁部を囲むように設けられた第３接着剤部とを備え、
前記第１接着剤部同士及び前記第２接着剤部同士が重なるように前記第１区分ラインを折り返し、さらに、前記第３接着剤部同士が重なるように前記第２区分ラインを折り返して、前記第１区分ライン及び前記第２区分ラインにより区分された複数の帳票部が厚み方向に重なるように折りたたまれることにより封止されること
を特徴とするメールフォーム。
【請求項５】
請求項４に記載のメールフォームにおいて、
封止された前記帳票部の前記第２区分ライン以外の３辺の外縁部を分離可能に形成することにより、前記第２区分ラインを背とする冊子状体が形成可能であること
を特徴とするメールフォーム。
【請求項６】
請求項４又は請求項５に記載のメールフォームにおいて、
前記帳票の前記第１区分ラインで区分された２つの領域にそれぞれ形成され、その領域の外縁部を囲むように、かつ厚み方向において前記第２接着剤部及び前記第３接着剤部の内側に形成され、前記第１区分ラインを折り返したときに厚み方向において重なる裁断ラインを備えること
を特徴とするメールフォーム。
【発明の詳細な説明】
【０００１】
【発明の属する技術分野】
この発明は、帳票を折り返して封止するとともに、開封後に冊子状となるメールフォームとその製造方法に関するものである。
【０００２】
【従来の技術】
従来より、ダイレクトメール等に種々の形態のメールフォームが用いられている。例えば第１の例として、１枚の帳票に宣伝広告等を印刷し、その帳票を折りたたんで封筒に入れ、顧客に送付するものが知られている。また、第２の例として、上記帳票を折り返したときに、所定の外縁部を接着して封止し、表面に宛名を印字して封筒状体に形成し、これを顧客に送付するものが知られている。
【０００３】
【発明が解決しようとする課題】
しかし、前述の従来のメールフォームにおいて、第１の例では、帳票と封筒とが別々であるので、封入、封緘作業を要するとともに、コスト高になるという問題があった。また、第１の例及び第２の例ともに、開封後に折りたたまれている帳票を引き伸ばし、内容を一見した後で、不要と判断されるとすぐに廃棄されてしまうという問題があった。したがって、受取人に、広告内容を十分に検討してもらうことが困難であった。さらに、帳票を引き伸ばすと、１枚の大きな用紙となるので、内容が見にくいという問題があった。
【０００４】
本発明の課題は、コストを高くすることなく、印刷等された内容を見やすくして、受取人に内容を十分に見てもらうことができる形態のメールフォームとその製造方法を提供することにある。
【０００５】
上述の課題を解決するために、請求項１の発明は、直交する第１区分ライン及び第２区分ラインであって１つの前記第１区分ラインと１つの前記第２区分ラインとによって帳票領域を複数の帳票部に区分し、前記第１区分ラインを折り返し、さらに前記第２区分ラインを折り返して、各前記帳票部が重なるように折りたたまれることにより形成され、各前記帳票部は、前記第１区分ラインを折り返したときに重なり合う面の前記第２区分ライン近傍、前記第１区分ラインを折り返したときに重なり合う面のその第１区分ライン及び前記第２区分ライン以外の２辺の外縁部、及び前記第２区分ラインを折り返したときに重なり合う面の前記第２区分ライン以外の３辺の外縁部が接着されることにより封止されることを特徴とするメールフォームの製造方法である。
請求項２の発明は、直交する第１区分ライン及び第２区分ラインであって２以上の前記第１区分ラインと１つの前記第２区分ラインとによって帳票領域を複数の帳票部に区分し、前記２以上の第１区分ラインのうち、一の第１区分ラインを挟んで隣り合う２つの前記帳票部の表面側同士が重なり、前記一の第１区分ラインと隣接する第１区分ラインを挟んで隣り合う２つの前記帳票部の裏面側同士が重なるように、交互に、前記２以上の第１区分ラインの全てを折り返し、さらに前記第２区分ラインを折り返して、各前記帳票部が重なるように折りたたまれることにより形成され、各前記帳票部は、前記第１区分ラインを折り返したときに重なり合う面の前記第２区分ライン近傍、前記第１区分ラインを折り返したときに重なり合う面のその第１区分ライン及び前記第２区分ライン以外の２辺の外縁部、及び前記第２区分ラインを折り返したときに重なり合う面の前記第２区分ライン以外の３辺の外縁部が接着されることにより封止されることを特徴とするメールフォームの製造方法である。
請求項３の発明は、請求項１又は請求項２に記載のメールフォームの製造方法において、封止された前記帳票部の前記第２区分ライン以外の３辺の外縁部を分離することにより、前記第２区分ラインを背とする冊子状体が形成されることを特徴とするメールフォームの製造方法である。
【０００６】
請求項４の発明は、帳票領域を２等分する第１区分ラインと、前記第１区分ラインと直交し、前記帳票領域をさらに２等分する第２区分ラインと、前記帳票の第１の面側において、前記第２区分ライン近傍に設けられた第１接着剤部と、前記帳票の前記第１の面側において、前記帳票の外縁部を囲むように設けられた第２接着剤部と、前記帳票の第２の面側において、前記第１区分ラインで区分された領域のうちの一方の領域の外縁部を囲むように設けられた第３接着剤部とを備え、前記第１接着剤部同士及び前記第２接着剤部同士が重なるように前記第１区分ラインを折り返し、さらに、前記第３接着剤部同士が重なるように前記第２区分ラインを折り返して、前記第１区分ライン及び前記第２区分ラインにより区分された複数の帳票部が厚み方向に重なるように折りたたまれることにより封止されることを特徴とするメールフォームである。
請求項５の発明は、請求項４に記載のメールフォームにおいて、封止された前記帳票部の前記第２区分ライン以外の３辺の外縁部を分離可能に形成することにより、前記第２区分ラインを背とする冊子状体が形成可能であることを特徴とするメールフォームである。
【０００７】
請求項６の発明は、請求項４又は請求項５に記載のメールフォームにおいて、前記帳票の前記第１区分ラインで区分された２つの領域にそれぞれ形成され、その領域の外縁部を囲むように、かつ厚み方向において前記第２接着剤部及び前記第３接着剤部の内側に形成され、前記第１区分ラインを折り返したときに厚み方向において重なる裁断ラインを備えることを特徴とするメールフォームである。
【０００８】
【発明の実施の形態】
以下、図面等を参照して、本発明の一実施形態について説明する。図１は、本発明によるメールフォームの第１の実施形態を示す図である。図中、（ａ）は表面図を示し、（ｂ）は裏面図を示す。
この実施形態でのメールフォーム１０は、例えばダイレクトメールに使用されるものであり、メールフォーム１０の各面に宣伝広告等を印刷等し、封筒状に封止して受取人に送付するものである。
【０００９】
メールフォーム１０は、図中上下方向に連続する連続帳票の一単位である。したがって、図示しないが、図中左右両側外縁部には、プリンタと係合するためのスプロケット孔を有するマージナル部が設けられている。
図１において、メールフォーム１０上には、互いに直交する区分ライン１１ａと１１ｂ（２点鎖線部）とが設けられている。区分ライン１１ａ及び１１ｂは、メールフォーム１０上の領域を、それぞれ図中縦方向及び横方向に２等分するラインである。これらの区分ライン１１ａ及び１１ｂにより、メールフォーム１０は、４つの帳票部１０ａ，１０ｂ，１０ｃ及び１０ｄに区分される。
【００１０】
また、図中（ａ）に示す表面側において、各帳票部１０ａ〜１０ｄの、区分ライン１１ａ及び１１ｂ以外の２辺の外縁部には、接着剤部１２（１２ａ〜１２ｄ）が設けられている。すなわち、接着剤部１２は、メールフォーム１０の外縁部を囲むように設けられている。接着剤部１２は、互いに重なり合って圧着されると、強接着される接着力を有するものである（以下の他の接着剤部も同様である）。
さらに、メールフォーム１０の表面側には、区分ライン１１ａを含むその近傍領域に、接着剤部１３（１３ａ及び１３ｂ）が設けられている。
【００１１】
さらにまた、図１（ｂ）に示す裏面側において、区分ライン１１ｂにより区分された帳票部１０ｂ及び１０ｄの領域には、それらの領域の外縁部を囲むように、接着剤部１５ａ及び１５ｂが設けられている。
【００１２】
また、区分ライン１１ｂにより区分された帳票部、すなわち帳票部１０ａ及び１０ｃと、帳票部１０ｂ及び１０ｄとには、それぞれこれらの帳票部の領域の外縁部を囲み、かつ接着剤部１２及び１５が設けられた領域の内側を通る位置に、基材を裁断可能としたミシン目１４ａ及び１４ｂが形成されている。
ミシン目１４ａと１４ｂとは、区分ライン１１ｂに対して対称となる位置に形成されている。さらに、各ミシン目１４ａ，１４ｂは、区分ライン１１ａに対して対称である。
【００１３】
次に、このメールフォームの使用方法について説明する。メールフォーム１０は、上述したように、連続帳票状であるので、印刷装置やプリンタ等により宣伝広告等が印刷又は印字される。印刷又は印字は、メールフォーム１０の両面に行われる。
図１において、各面の帳票部１０ａ〜１０ｄに示した番号は、メールフォーム１０のページ番号である。そして、この実施形態の頁数は、４つの帳票部１０ａ〜１０ｄの両面で合計８頁であり、１頁目又は８頁目（帳票部１０ａ又は１０ｃの図１中、裏面側）にメールフォーム１０の受取人の宛名等が印刷又は印字される。
【００１４】
印刷等が終了した後、メールフォーム１０ごとに連続帳票からスリットされる。左右両側外縁部にスプロケット孔を含むマージナル部を有するときは、その部分もスリットされる。
そして、先ず、区分ライン１１ｂを折り返す。区分ライン１１ｂは、図１（ａ）中の表面側同士が重なるように折り返される。これにより、帳票部１０ａ及び１０ｃと、帳票部１０ｂ及び１０ｄが重なる。そして、ミシン目１４ａと１４ｂとが厚み方向において重なる。さらに、接着剤部１３ａと１３ｂ、接着剤部１２ａと１２ｃ、及び接着剤部１２ｂと１２ｄとが、それぞれ重なり合う。
【００１５】
次に、区分ライン１１ａを折り返す。区分ライン１１ａは、図１（ｂ）の帳票部１０ｂと１０ｄとの裏面側同士が重なるように折り返す。これにより、折り返されたミシン目１４ａ及び１４ｂが厚み方向において重なる。また、接着剤部１５ａと１５ｂとが重なり合う。
この状態でメールフォーム１０が圧着されると、それぞれ重なり合う接着剤部１２，１３，１４及び１５が接着され、各帳票部１０ａ〜１０ｄが封止される。したがって、メールフォーム１０は、封筒状体となり、この状態で受取人に送付される。図２は、このときの様子を示す平面図である。
【００１６】
受取人は、ミシン目１４ａを裁断することにより、メールフォーム１０を開封する。ミシン目１４ａを裁断すると、同時に厚み方向に重なるミシン目１４ｂも裁断される。したがって、図２中、ミシン目１４ａを有する３辺の外縁部を裁断することにより、接着剤部１２及び１５を有する領域が分離され、メールフォーム１０が開封される。
【００１７】
図３は、開封されたメールフォーム１０を示す斜視図である。図３に示すように、開封後は、図２中、左辺を背とする冊子状となる。この背となる部分は、図１中、接着剤部１３により接着されている部分である。また、この冊子状の各頁は、図１に示した頁順になる。
これにより、受取人に対して見やすいダイレクトメール等を提供することができる。
【００１８】
図４は、本発明によるメールフォームの第２の実施形態を示す図である。図中、（ａ）は表面図を示し、（ｂ）は裏面図を示す。
このメールフォーム２０の区分ライン２１は、図中縦方向に設けられメールフォーム２０を２等分する区分ライン２１ａと、区分ライン２１ａと直交し、メールフォーム２０の領域を３等分する区分ライン２１ｂ及び２１ｃとを有する。これにより、メールフォーム２０は、６つの帳票部２０ａ〜２０ｆに区分される。
【００１９】
表面側において、区分ライン２１ｃの上側であって区分ライン２１ａを含むその近傍領域には、接着剤部２２ａ及び２２ｂが設けられている。また、帳票部２０ａ〜２０ｄの領域の外縁部を囲むように、接着剤部２３（２３ａ〜２３ｄ）が設けられている。さらに、帳票部２０ｅ及び２０ｆの領域の外縁部を囲むように、接着剤部２４ａ及び２４ｂが設けられている。
【００２０】
また、裏面側において、区分ライン２１ｂの下側であって区分ライン２１ａを含むその近傍領域には、接着剤部２５ａ及び２５ｂが設けられている。また、帳票部２０ｃ〜２０ｆの領域の外縁部を囲むように、接着剤部２６ａ〜２６ｄが設けられている。
以上の接着剤部２２，２３，２４，２５及び２６は、第１の実施形態での接着剤部１２等と同様のものである。
【００２１】
メールフォーム２０の各面に第１の実施形態と同様に印刷等した後は、先ず、区分ライン２１ｂ及び２１ｃを折り返す。区分ライン２１ｂは、帳票部２０ａ〜２０ｄの表面側同士が重なるように折り返される。さらに区分ライン２１ｃは、帳票部２０ｃ〜２０ｆの裏面側同士が重なるように折り返される。これにより、接着剤部２２ａと２２ｂ、２３ａと２３ｃ、２３ｂと２３ｄ、２５ａと２５ｂ、２６ａと２６ｃ、及び２６ｂと２６ｄ同士が重なる。
次に区分ライン２１ａを折り返す。区分ライン２１ａは、帳票部２０ｅと２０ｆの表面側同士が重なるように折り返される。これにより、接着剤部２４ａと２４ｂとが重なる。
この状態で圧着することにより、メールフォーム２０が封止される。そして、第１の実施形態と同様に、区分ライン２１ａ以外の３辺の外縁部を分離することにより、冊子状に開封することができる。
【００２２】
また、第２の実施形態では図示しないが、各帳票部２０ａ〜２０ｆが重ねられたときに、区分ライン２１ａ以外の３辺の外縁部を分離可能に、すなわち帳票部２０ａと２０ｂ、２０ｃと２０ｄ、及び２０ｅと２０ｆの領域の外縁部を囲むようにミシン目を形成しても良い。なお、第１及び第２の実施形態ともに、ミシン目ではなく、裁断ラインを表示しておき、受取人がはさみ等でこの部分をカットするようにしても良い。
【００２３】
以上、本発明の一実施形態について説明したが、本発明は、上述した実施形態に限定されることなく、均等の範囲内で以下のような種々の変形が可能である。（１）例えば、第２の実施形態よりさらに区分ラインを設けて、帳票部を８，１０，・・に区分して、頁数を増やすことができる。このように形成するときは、直交する区分ラインのうち一方の区分ラインを１つとし、他方の区分ラインを複数設けて、他方の区分ラインを折り返した後に、一方の区分ラインを折り返すようにすれば良い。
【００２４】
（２）また、第２の実施形態と異なるように区分ライン２１ｂ及び２１ｃを折り返しても良い。例えば、帳票部２０ａ及び２０ｂが帳票部２０ｃ及び２０ｄ上に重なるように区分ライン２１ｂを折り返した後に、帳票部２０ａ及び２０ｂ上に帳票部２０ｅ及び２０ｆが重なるように区分ライン２１ｃを折り返しても良い。このように折り返すときは、それぞれ密着する面に、実施形態に示したような接着剤部を配置すれば良い。
（３）実施形態で示した各接着剤部１２等は、ライン状の他、スポット状に設けても良い。
（４）本発明では、用紙の坪量や区分ライン数、区分ラインで区分された帳票部の大きさ等を変えることにより、郵便法に基づく定形内郵便とすることが可能である。
【００２５】
【発明の効果】
本発明によれば、帳票を折り返して封止し、封筒状体にすることができ、また、メールフォームを開封すると冊子状の形態となるので、コストを高くすることなく、開封後に帳票に印刷等された内容を見やすくすることができる。さらに、裁断ラインを設けることにより、メールフォームを開封するときの便宜を図ることができる。
【図面の簡単な説明】
【図１】本発明のメールフォームの第１の実施形態を示す表面図及び裏面図である。
【図２】封筒状体となったメールフォーム１０を示す平面図である。
【図３】開封されたメールフォーム１０を示す斜視図である。
【図４】本発明のメールフォームの第２の実施形態を示す表面図及び裏面図である。
【符号の説明】
１０  メールフォーム
１０ａ〜１０ｄ  帳票部
１１ａ，１１ｂ  区分ライン
１２（１２ａ１２ｄ）  接着剤部
１３（１３ａ，１３ｂ）  接着剤部
１４（１４ａ，１４ｂ）  ミシン目
１５（１５ａ，１５ｂ）  接着剤部
【図１】
0003930583.tif 000002
【図２】
0003930583.tif 000003
【図３】
0003930583.tif 000004
【図４】
0003930583.tif 000005